(57)【要約】【課題】食物を摺り潰すことができる人工前歯を提供する。【解決手段】人工上顎前歯１の舌側面に、近心遠心方向から見て弓形に凹んだ擦接面５を形成する隆起３を設け、対峙する人工下顎前歯２の唇側面に、擦接面５に当接し、上下顎の滑走運動によって擦接面５上を滑動する擦動面６を形成する隆起４を設ける。【選択図】図２
2010162331.tif 000002
【特許請求の範囲】
【請求項１】
舌側面に、対峙する歯と擦接可能な擦接面を形成する隆起を設けたことを特徴とする人工前歯。
【請求項２】
前記隆起は、切端から歯頚部に向かう方向に延伸する溝を有することを特徴とする請求項１に記載の人工前歯。
【請求項３】
前記擦接面は、近心遠心方向から見て弓形に凹んでいることを特徴とする請求項１または２に記載の人工前歯。
【請求項４】
前記擦接面は、臼歯の滑走運動に倣う形状を含むことを特徴とする請求項３に記載の人工前歯。
【請求項５】
前記人工歯が上顎前歯であることを特徴とする請求項１から４のいずれかに記載の人工前歯。
【請求項６】
請求項１から５のいずれかに記載の人工前歯を含む複数の人工歯からなることを特徴とする人工歯セット。
【請求項７】
前記擦接面を有する前記人工前歯に対峙する人工前歯は、唇側面に、前記擦接面と擦接する擦動面を形成する隆起を設けたことを特徴とする請求項５に記載の人工歯セット。
【請求項８】
前記擦接面を有する前記人工前歯に複数の人工前歯が対峙し、前記対峙する複数の人工前歯のそれぞれに、前記擦動面を形成する前記隆起を設けたことを特徴とする請求項６に記載の人工歯セット。
【請求項９】
請求項６から８のいずれかに記載の人工歯セットを義歯床に排列してなることを特徴とする義歯。
【請求項１０】
前記擦接面は、咬頭嵌合位において、対峙する前記人工歯の唇側面と当接することを特徴とする請求項９に記載の義歯。
【発明の詳細な説明】
【技術分野】
【０００１】
本発明は、人工前歯および人工歯セット並びに義歯に関する。
【背景技術】
【０００２】
自然歯において、前歯は食物を噛み切る機能を有し、臼歯は食物を噛み砕いたり摺り潰したりする機能を有する。前歯は、咬頭嵌合位に咬合した状態（臼歯を噛み締めた状態）において、上顎歯が下顎歯よりも２〜３ｍｍ唇側に位置し、互いに当接しないようになっている。前歯で食物を噛み切る場合、上顎前歯の切端と下顎前歯の切端とが当接するように、下顎を前方にずらして噛み合わせる。
【０００３】
従来、人工歯は、自然歯の機能を再現することを目標に製作されているが、義歯に排列された状態おいて自然歯と同様の十分な咀嚼能力を発揮することは非常に難しい。そこで、人工歯に自然歯にはない咀嚼機能を付加することで、総合的な咀嚼能力を天然歯に近づけることが検討されている。
【０００４】
例えば、特許文献１には、上顎切歯の舌側、切端から約３ｍｍ上方に水平面からなるプラットフォームを形成し、臼歯が咬頭嵌合位に咬合した状態で、このプラットフォームに下顎切歯の切端を当接させ、食物を噛み切る機能を付加した発明が記載されている。この発明では、臼歯を咬合し、食物を噛み砕いて摺り潰す際に、前歯によって食物を噛み切ることもできる。しかしながら、臼歯で食物を摺り潰す際には、前歯に食物を噛み切る機能を発揮させるよりも、摺り潰す機能を発揮させられる方が好ましい。
【先行技術文献】
【特許文献】
【０００５】
【特許文献１】特開７−６７８９０号公報
【発明の概要】
【発明が解決しようとする課題】
【０００６】
前記問題点に鑑みて、本発明は、食物を摺り潰すことができる人工前歯および人工歯セット、並びに、そのような人工前歯を用いた義歯を提供することを課題とする。
【課題を解決するための手段】
【０００７】
前記課題を解決するために、本発明による人工前歯は、舌側面に、対峙する歯と擦接可能な擦接面を形成する隆起を設けたものとする。
【０００８】
この構成によれば、人工前歯に形成した擦接面に対峙する歯を擦接させることで、食物を摺り潰すことができる。
【０００９】
また、本発明の人工歯において、前記隆起は、擦接面で擦り潰した食物を擦接面の外側に逃がして、さらなる擦り潰しを行うことができるように、切端から歯頚部に向かう方向に延伸する溝を有することが好ましい。
【００１０】
また、本発明の人工歯において、前記擦接面は、自然な咬合動作によって食物を摺り潰すことができるように、近心遠心方向から見て弓形に凹んでいることが好ましく、臼歯の滑走運動によって食物を摺り潰すことができるように、臼歯の滑走運動に倣う形状を含むことがより好ましい。
【００１１】
また、通常の咬合では、上顎前歯が下顎前歯の唇側に位置するので、本発明の人工歯は、上顎前歯であることが好ましい。
【００１２】
また、本発明による人工歯セットは、前記人工前歯のいずれかを含む複数の人工歯からなるものとし、前記擦接面を有する前記人工前歯に対峙する人工前歯に、唇側面に、前記擦接面と擦接して食物を摺り潰す咬頭の機能を果たす擦動面を形成する隆起を設けることが好ましい。また、隆起によって形成した擦動面を擦接面に当接させることで、切端が前記擦接面に当接して摩耗しないようにすることができる。
【００１３】
また、本発明の人工歯セットにおいて、天然歯の歯列と同様に、前記擦接面を有する前記人工前歯に複数の人工前歯が対峙してもよく、その場合、前記対峙する複数の人工前歯のそれぞれに、前記擦動面を形成する前記隆起を設けてもよい。
【００１４】
また、本発明による義歯は、前記人工歯セットのいずれかを義歯床に排列してなるものとし、臼歯によって食物を摺り潰す運動によって、擦接面で食物を摺り潰すことができるように、前記擦設面が、咬頭嵌合位において、対峙する前記人工歯の唇側面と当接することが好ましい。
【発明の効果】
【００１５】
本発明によれば、人工前歯の舌側面に、対峙する歯の唇側面と擦接可能な擦接面を設けたので、臼歯を噛み合わせる際に、前歯によって食物を摺り潰すことができる。
【図面の簡単な説明】
【００１６】
【図１】本発明の１つの実施形態の相対峙する人工上顎中切歯および人工下顎中切歯の側面図である。
【図２】図１の人工上顎中切歯の斜視図である。
【図３】図１の人工下顎中切歯の斜視図である。
【図４】図１の人工中切歯の、上下臼歯の咬頭が当接し合う状態での位置関係を示す図である。
【図５】図１の人工中切歯の、咬頭嵌合位に咬合した状態での位置関係を示す図である。
【図６】図１の人工中切歯を含む人工歯セットの舌側面を示す図である。
【図７】図６の人工歯セットの唇側面を示す図である。
【発明を実施するための形態】
【００１７】
これより、本発明の実施形態について、図面を参照しながら説明する。図１に、本発明の１つの実施形態の上下に相対峙する人工上顎中切歯１および人工下顎中切歯２を近心側から（正中から真横を）見た図を示し、図２に、人工上顎中切歯１の舌側面の形状を、図３に、人工下顎中切歯２の唇側面の形状を示す。
【００１８】
人工上顎中切歯１は、舌側面に、図１に二点鎖線で示した天然歯の形状と比べて明確に突出した隆起３が設けられている。また、人工下顎中切歯２は、唇側面に、天然歯よりも突出した隆起４が設けられている。尚、図２および３には、隆起３，４の形状を分かりやすくするために、そのエッジを明確に図示しているが、隆起３，４は、角のない滑らかな曲面によって構成されることが好ましい。
【００１９】
人工上顎中切歯１の隆起３および人工下顎中切歯２の隆起４は、それぞれ、上顎と下顎とが咬合する運動によって、互いに擦接し合う擦接面５および擦動面６を形成している。図１に示すように、人工上顎中切歯１の擦接面５は、近心遠心方向から見て、弓形に凹んだ形状をしており、人工下顎中切歯２の擦動面６は、近心遠心方向から見て、弓形に膨らんだ形状をしている。また、擦接面５，６は、それぞれ、人工中切歯１，２の切端７，８から離して形成されている。
【００２０】
さらに、人工上顎中切歯１の隆起３は、切端７から歯頚部９に向かって延伸し、切端７側において擦接面５に開口する２本の溝１０を有している。本実施形態においては、天然の中切歯の舌側面に、切端から歯頚部に向かって延伸する２本の浅い凹みが存在することから、これに倣って隆起３に２本の溝１０を形成しているが、溝１０を１本にしても、３本以上にしてもよい。また、溝１０の近心延伸方向の幅は、１〜２ｍｍとすることが好ましく、１．２〜１．５ｍｍとすることがより好ましい。溝１０は、隆起３の溝１０によって形成される接端７から歯頚部９に向かう方向に延伸する複数の凸状の部分が、略等ピッチ且つ等しい幅で人工上顎中切歯３の舌側面に均等に分散する結果となるように形成することが好ましい。
【００２１】
図４および図５に、人工中切歯１，２の位置関係を、上顎大臼歯１１，１２と下顎大臼歯１３，１４の位置関係とともに示す。尚、人工上顎中切歯１と上顎大臼歯１１，１２、および、人工下顎中切歯２と下顎大臼歯１３，１４の相対位置は、人工中切歯１，２をそれぞれ義歯床に固定することによって決定される。
【００２２】
図４に示すように、上顎大臼歯１１，１２の咬頭に下顎大臼歯１３，１４の咬頭が当接する位置において、人工上顎中切歯１の擦接面５の切端７側の端部に人工下顎中切歯２の擦動面６が当接する。さらに、上顎大臼歯１１，１２と下顎大臼歯１３，１４とを滑動させて、図５に示すように、上顎と下顎とを咬頭嵌合位（中心嵌合位）に咬合させると、人工上顎中切歯１の擦接面５の歯頚部９側の端部に、人工下顎中切歯２の擦動面６が当接する。つまり、擦動面６は、臼歯１１，１２，１３，１４の滑走運動の軌跡に倣う形状に形成されており、この上下顎の滑走動作によって、擦動面６が擦接面５上を滑動するようになっている。
【００２３】
また、擦動面６が擦接面５上を滑らかに滑動するためには、擦接面５と擦動面６との接触面積が大きくなりすぎないようにすることが重要である。このため本実施形態では、擦動面６の曲率が、擦接面５の曲率よりも小さくなっている。
【００２４】
人工上顎中切歯１の擦接面５と人工下顎中切歯２の擦動面６とが擦動することで、擦接面５と擦動面６との間に挟まれた食物を摺り潰すことができる。さらに、擦接面５と擦動面６との間で摺り潰された食物は、人工上顎中切歯１の溝１０に押し出され、歯頚部９の方向に擦接面５から逃げることで、擦接面５と擦動面６との間に残る食物をさらに細かく摺り潰すことができる。
【００２５】
また、咬頭嵌合位において、人工下顎中切歯２の擦動面６は、人工上顎中切歯１の擦接面５の溝１０が開口している側の端部に当接する。これにより、溝１０の底部が、人工下顎中切歯２の唇側において開口し、口腔内と唇側を連通させる空気通路を形成して、義歯の装着者に息苦しさを感じさせないようにできる。
【００２６】
さらに、図６および図７に、人工中切歯１，２を含む人工歯セットの舌側面および唇側面を示す。図示するように、この人工歯セットは、人工中切歯１，２と左右の対をなす人工中切歯１５，１６並びに人工上顎側切歯１７，１９および人工下顎側切歯１８，２０からなる人工切歯セットである。
【００２７】
人工上顎切歯１５，１７，１９には、それぞれ、人工上顎中切歯１と同様の擦接面５を形成する隆起３が設けられ、人工下顎切歯１６，１８，２０には、それぞれ、人工下顎中切歯２と同様の擦動面６を形成する隆起４が設けられている。
【００２８】
人工上顎中切歯１，１５には、人工下顎中切歯２，１６だけでなく、部分的に、人工下顎側切歯１８，２０が対峙しており、人工上顎中切歯１，１５の擦接面５には、人工下顎側切歯１８，２０の擦動面６も擦接する。
【００２９】
また、上顎中切歯の幅は６〜１０ｍｍ程度であるので、人工上顎中切歯１，１５の隆起３には、２本の溝１０が形成されており、上顎側切歯の幅は６〜８ｍｍ程度であるので、人工上顎側切歯１７，１９の隆起３には、１本の溝１０が形成されている。
【００３０】
本発明による人工歯セットは、さらに、人工上顎側切歯１７，１９に対峙する人工下顎犬歯を含んでもよく、人工下顎犬歯の唇側面に、人工上顎側切歯１７，１９の擦接面５に擦接する擦動面を形成する隆起を設けてもよい。当然ながら、本発明の人工歯セットは、上顎犬歯や臼歯を含んでもよい。また、本発明の人工前歯は、近心遠心方向に隣接する人工歯と連結された連結歯であってもよい。
【００３１】
また、上記実施形態では、人工下顎前歯２，１６，１８，２０の唇側面に、人工上顎前歯１，１５，１７，１９の舌側面に形成した擦接面５に擦接する擦動面６を形成する隆起４を設けているが、人工上顎前歯１，１５，１７，１９の擦接面５が、天然の下顎前歯、または、天然歯を模した形状の人工下顎前歯の唇側面の切端近傍部に擦接するようにしてもよい。
【００３２】
本発明では、通常の咬合状態において、上顎前歯の舌側に下顎前歯が位置するため、上顎前歯の舌側面に、対峙する下顎前歯の唇側面と擦接可能な擦接面を形成する隆起を設けることが好ましいが、反対咬合を行う場合は、下顎前歯の舌側面に、対峙する上顎前歯の唇側面と擦接可能な擦接面を形成する隆起を設けてもよい。
【００３３】
但し、擦接面に対峙する歯の切端を擦接させると切端を損耗し易くなるので、対峙する歯が擦接面に当接する部分は、接端から少し離れた部分であることが好ましい。同様に、擦接面も、切端から離れた位置に形成することが望ましい。
【符号の説明】
【００３４】
１…人工上顎中切歯
２…人工下顎中切歯
３，４…隆起
５…擦接面
６…擦動面
７，８…接端
９…歯頚部
１０…溝
【図１】
2010162331.tif 000003
【図２】
2010162331.tif 000004
【図３】
2010162331.tif 000005
【図４】
2010162331.tif 000006
【図５】
2010162331.tif 000007
【図６】
2010162331.tif 000008
【図７】
2010162331.tif 000009
【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
舌側面に、対峙する歯と擦接可能であり、且つ、近心遠心方向から見て弓形に凹んだ臼歯の滑走運動に倣う形状を含む擦接面を形成する隆起を設けたことを特徴とする人工前歯。
【請求項２】
前記隆起は、切端から歯頚部に向かう方向に延伸する溝を有することを特徴とする請求項１に記載の人工前歯。
【請求項３】
前記人工歯が上顎前歯であることを特徴とする請求項１または２に記載の人工前歯。
【請求項４】
請求項１から３のいずれかに記載の人工前歯を含む複数の人工歯からなることを特徴とする人工歯セット。
【請求項５】
前記擦接面を有する前記人工前歯に対峙する人工前歯は、唇側面に、前記擦接面と擦接する擦動面を形成する隆起を設けたことを特徴とする請求項４に記載の人工歯セット。
【請求項６】
前記擦接面を有する前記人工前歯に複数の人工前歯が対峙し、前記対峙する複数の人工前歯のそれぞれに、前記擦動面を形成する前記隆起を設けたことを特徴とする請求項５に記載の人工歯セット。
【請求項７】
請求項４から６のいずれかに記載の人工歯セットを義歯床に排列してなることを特徴とする義歯。
【請求項８】
前記擦接面は、咬頭嵌合位において、対峙する前記人工歯の唇側面と当接することを特徴とする請求項７に記載の義歯。
【手続補正２】
【補正対象書類名】明細書
【補正対象項目名】０００７
【補正方法】変更
【補正の内容】
【０００７】
前記課題を解決するために、本発明による人工前歯は、舌側面に、対峙する歯と擦接可能であり、且つ、近心遠心方向から見て弓形に凹んだ臼歯の滑走運動に倣う形状を含む擦接面を形成する隆起を設けたものとする。
【手続補正３】
【補正対象書類名】明細書
【補正対象項目名】０００８
【補正方法】変更
【補正の内容】
【０００８】
この構成によれば、自然な咬合動作における臼歯の滑走運動によって、人工前歯に形成した擦接面に対峙する歯を擦接させることで、食物を摺り潰すことができる。
【手続補正４】
【補正対象書類名】明細書
【補正対象項目名】００１０
【補正方法】削除
【補正の内容】